(57)【要約】 【課題】  嵩張らない形態にすることが可能な星形の照明器具用カバーを提供する。【解決手段】  カバー１０は多面体１１の表面から角錐部１２を突出させた形態である。一方の型紙２０の境界線部２３を他方の型紙２０のスリット状嵌合部２６に嵌合させてベース部２１同士を隣接させた状態で組み付けることで正多面体１１が構成され、ベース部２１同士を隣接させている２つの型紙２０の突片部２２の斜辺２４，２５同士を結合させることで、角錐部１２が構成されている。星形のカバー１０は、複数枚の型紙２０を組み合わせることによって構成されるようになっているので、組立前には複数枚の型紙２０を重ねることで薄く嵩張らない状態にしておくことができる。【選択図】  図１
2005166308.tif 000002
【特許請求の範囲】
【請求項１】
複数の角錐部を放射状に突出させた星形をなすカバー内に光源を収容したものであって、
前記カバーは、透光性を有する複数の型紙を組み合せることにより、略球形の多面体の表面から前記角錐部を突出させた形態に構成され、
前記型紙は、正多角形のベース部と、前記ベース部の各辺から前記ベース部と面一状に延出する略三角形の突片部とからなり、
前記ベース部と前記突片部の境界線部には、その一端から中央に達するスリット状嵌合部が形成され、
２つの前記型紙のうち一方の型紙の境界線部における半分長さ領域を他方の型紙のスリット状嵌合部に嵌合させつつ、前記ベース部同士がその境界線部同士を重ね且つ互いに斜め角度をなして隣接させた状態で組み付けられることで、前記正多面体が構成され、
前記ベース部同士が隣接して組み付けられている前記２つの型紙の突片部が、その対応する斜辺同士を結合させることで、前記角錐部が構成されていることを特徴とする照明器具。
【請求項２】
前記突片部の一方の斜辺にはスリット孔が形成されているとともに、前記突片部の他方の斜辺には前記スリット孔と対応する結合片が突出形成されており、前記スリット孔に前記結合片を嵌合させることで前記斜辺同士が結合されるようになっていることを特徴とする請求項１記載の照明器具。
【請求項３】
前記ベース部で囲まれた前記多面体の内部に前記光源が収容され、前記ベース部と前記突片部のうちの一方又は両方に切欠部が形成されていることを特徴とする請求項１又は請求項２記載の照明器具。
【請求項４】
複数の角錐部を放射状に突出させた星形をなし、内部に光源を収容することで照明器具を構成するものであって、
透光性を有する複数の型紙を組み合せることにより、略球形の多面体の表面から前記角錐部を突出させた形態に構成され、
前記型紙は、正多角形のベース部と、前記ベース部の各辺から前記ベース部と面一状に延出する略三角形の突片部とからなり、
前記ベース部と前記突片部の境界線部には、その一端から中央に達するスリット状嵌合部が形成され、
２つの前記型紙のうち一方の型紙の境界線部における半分長さ領域を他方の型紙のスリット状嵌合部に嵌合させつつ、前記ベース部同士がその境界線部同士を重ね且つ互いに斜め角度をなして隣接させた状態で組み付けられることで、前記正多面体が構成され、
前記ベース部同士が隣接して組み付けられている前記２つの型紙の突片部が、その対応する斜辺同士を結合させることで、前記角錐部が構成されていることを特徴とする照明器具用カバー。
【請求項５】
前記突片部の一方の斜辺にはスリット孔が形成されているとともに、前記突片部の他方の斜辺には前記スリット孔と対応する結合片が突出形成されており、前記スリット孔に前記結合片を嵌合させることで前記斜辺同士が結合されるようになっていることを特徴とする請求項４に記載の照明器具用カバー。
【請求項６】
前記ベース部で囲まれた前記多面体の内部に前記光源が収容され、前記ベース部と前記突片部のうちの一方又は両方に切欠部が形成されていることを特徴とする請求項４又は請求項５に記載の照明器具用カバー。
【発明の詳細な説明】
【技術分野】
【０００１】
本発明は、照明器具及び照明器具用カバーに関するものである。
【背景技術】
【０００２】
照明器具においては光源を覆うシェード、グローブ等のカバーのデザインが重要視される。天井から吊り下げて使用される照明器具としては、全体として球形をなすもの（例えば、特許文献１を参照）が知られているが、形状自体にデザイン上の特徴を持たせたものとしては、複数の角錐が放射状に突出する星形のカバーが考えられる。
【特許文献１】特開２００２−２５３１９公報
【発明の開示】
【発明が解決しようとする課題】
【０００３】
球形のカバーの場合は、螺旋状の竹籤に和紙を貼り付けた形態とすることにより提灯のように畳むことが可能である。しかしながら、星形をなすカバーは、提灯のように畳むことが困難であるため、店頭での展示や倉庫等での在庫保管に際して大きなスペースが必要となるだけでなく、持ち運び等の際にもその大きさと形状のために不便を強いられるという問題がある。
【０００４】
本発明は上記のような事情に基づいて完成されたものであって、嵩張らない形態にすることが可能な星形の照明器具用カバーを提供することを目的とする。
【課題を解決するための手段】
【０００５】
上記の目的を達成するための手段として、請求項１の発明は、複数の角錐部を放射状に突出させた星形をなすカバー内に光源を収容したものであって、前記カバーは、透光性を有する複数の型紙を組み合せることにより、略球形の多面体の表面から前記角錐部を突出させた形態に構成され、前記型紙は、正多角形のベース部と、前記ベース部の各辺から前記ベース部と面一状に延出する略三角形の突片部とからなり、前記ベース部と前記突片部の境界線部には、その一端から中央に達するスリット状嵌合部が形成され、２つの前記型紙のうち一方の型紙の境界線部における半分長さ領域を他方の型紙のスリット状嵌合部に嵌合させつつ、前記ベース部同士がその境界線部同士を重ね且つ互いに斜め角度をなして隣接させた状態で組み付けられることで、前記正多面体が構成され、前記ベース部同士が隣接して組み付けられている前記２つの型紙の突片部が、その対応する斜辺同士を結合させることで、前記角錐部が構成されているところに特徴を有する。
【０００６】
請求項２の発明は、請求項１に記載のものにおいて、前記突片部の一方の斜辺にはスリット孔が形成されているとともに、前記突片部の他方の斜辺には前記スリット孔と対応する結合片が突出形成されており、前記スリット孔に前記結合片を嵌合させることで前記斜辺同士が結合されるようになっているところに特徴を有する。
【０００７】
請求項３の発明は、請求項１または請求項２に記載のものにおいて、前記ベース部で囲まれた前記多面体の内部に前記光源が収容され、前記ベース部と前記突片部のうちの一方又は両方に切欠部が形成されているところに特徴を有する。
【０００８】
請求項４の発明は、複数の角錐部を放射状に突出させた星形をなし、内部に光源を収容することで照明器具を構成するものであって、透光性を有する複数の型紙を組み合せることにより、略球形の多面体の表面から前記角錐部を突出させた形態に構成され、前記型紙は、正多角形のベース部と、前記ベース部の各辺から前記ベース部と面一状に延出する略三角形の突片部とからなり、前記ベース部と前記突片部の境界線部には、その一端から中央に達するスリット状嵌合部が形成され、２つの前記型紙のうち一方の型紙の境界線部における半分長さ領域を他方の型紙のスリット状嵌合部に嵌合させつつ、前記ベース部同士がその境界線部同士を重ね且つ互いに斜め角度をなして隣接させた状態で組み付けられることで、前記正多面体が構成され、前記ベース部同士が隣接して組み付けられている前記２つの型紙の突片部が、その対応する斜辺同士を結合させることで、前記角錐部が構成されているところに特徴を有する。
【０００９】
請求項５の発明は、請求項４に記載のものにおいて、前記突片部の一方の斜辺にはスリット孔が形成されているとともに、前記突片部の他方の斜辺には前記スリット孔と対応する結合片が突出形成されており、前記スリット孔に前記結合片を嵌合させることで前記斜辺同士が結合されるようになっているところに特徴を有する。
【００１０】
請求項６の発明は、請求項４又は請求項５に記載のものにおいて、前記ベース部で囲まれた前記多面体の内部に前記光源が収容され、前記ベース部と前記突片部のうちの一方又は両方に切欠部が形成されているところに特徴を有する。
【発明の効果】
【００１１】
＜請求項１及び請求項４の発明＞
星形のカバーは、複数枚の型紙を組み合わせることによって構成されるようになっているので、組立前には複数枚の型紙を重ねることで薄く嵩張らない状態にしておくことができる。したがって、展示や保管のためのスペースが小さくて済み、持ち運びにも便利である。
【００１２】
＜請求項２及び請求項５の発明＞
斜辺同士の結合は、スリット孔に結合片を差し込んで嵌合させる形態なので、結合と分解を簡単に行うことができる。
【００１３】
＜請求項３及びせ６の発明＞
ベース部の切欠部の形状を工夫することで、角錐部に美しい影絵模様を映し出させることができる。また、切欠部をベース部と突片部の両方に形成した場合には、多面体内に収容されている光源が発する熱を、切欠部を介して効率よく外部へ放出することができる。
【発明を実施するための最良の形態】
【００１４】
＜実施形態１＞
以下、本発明を具体化した実施形態１を図１乃至図８を参照して説明する。
【００１５】
本実施形態の照明器具は、１２の正五角錐（以下、角錐部１２という）を放射状に突出させた星形（コンペイトウ状）をなすカバー１０の内部に、白熱電球１７をソケット１６に取り付けた形態の光源１５を収容したものであって、天井等から吊り下げて使用できるようになっている。カバー１０は、形状及び大きさが同一である１２枚の型紙２０を組み合せることにより、略球形をなす正十二面体（以下、多面体１１という）の表面から角錐部１２を突出させた形態に構成されている。
【００１６】
型紙２０は、透光性を有する乳白色（即ち、半透明）の板状をなし、容易に破れたり折れ曲がったりしないような腰があり、なお且つ耐熱温度が比較的高い素材からなる。この型紙２０の材料としては、防炎紙・ワーロン紙（樹脂を重ねた和紙、若しくは樹脂でコーティングした和紙）、和紙を含有しない合成樹脂材等を用いることができる。
【００１７】
型紙２０は、図３に示すように、正五角形をなすベース部２１と、このベース部２１の各辺（周縁の各直線部）からベース部２１に対して面一状に延出する概ね二等片三角形状をなす５つの突片部２２とからなる。各突片部２２の直線状の底辺は突片部２２とベース部２１との境界線部２３となっており、各突片部２２の２つの直線状の斜辺２４，２５は互いに同じ長さとなっている。各突片部２２の２つの斜辺２４，２５は、その突片部２２の両側に位置する２つの突片部２２の底辺（境界線部２３）に対して一直線状に連なっており、全て（５つ）の突片部２２の斜辺２４，２５と底辺は一筆書き状に連続している。
【００１８】
ベース部２１と突片部２２の境界線部２３には、そのベース部２１を中心として時計回り側（図３における中央上部に位置する突片部２２においては右側）の端部から長さ方向中央に達するスリット状嵌合部２６が、型紙２０を表裏貫通するように切欠した形態で形成されている。スリット状嵌合部２６の幅は、型紙２０の厚さ寸法と同じかそれよりも僅かに大きい寸法とされている。このスリット状嵌合部２６には、他の型紙２０の境界線部２３のうちのスリット状嵌合部２６が形成されていない半分長さ領域が嵌合されるようになっている。
【００１９】
各突片部２２の２つの斜辺２４，２５のうちベース部２１を中心として時計回り側（図３における中央上部に位置する突片部２２においては右側）の斜辺２４には、その斜辺２４に沿って細長く延びる帯部２７が突片部２２に対して面一状に形成されている。この帯部２７と突片部２２との境界線（斜辺２４）には３つのスリット孔２８が形成されている。このスリット孔２８は、斜辺２４の長さ方向に沿って細長く延びるとともに型紙２０を表裏貫通する形態であって、斜辺２４の長さ方向に一定のピッチで直列に並ぶように配置されている。スリット孔２８の幅は、型紙２０の厚さ寸法と同じかそれよりも僅かに大きい寸法とされている。
【００２０】
一方、各突片部２２の２つの斜辺２４，２５のうちスリット孔２８の形成されている側とは反対側の斜辺２５には３つの結合片２９が形成されている。この結合片２９は、真円の一部を櫛形（弓形）に切欠したいわゆる扇形をなし、その弦に相当する直線部を斜辺２５に合致させるとともに突片部２２に対して面一状に連なるように突出している。この３つの結合片２９は、斜辺２５の長さ方向においてスリット孔２８と同一ピッチを空けて配置されている。また、結合片２９の直径（最大外径）は、スリット孔２８の長さと同じかそれよりも僅かに小さい寸法となっている。
【００２１】
ベース部２１と突片部２２には、夫々、型紙２０を表裏貫通する形態の切欠部３０ａ，３０ｂ，３０ｃ，３０ｄが形成されている。ベース部２１に形成されている第１切欠部３０ａは、底辺を境界線部２３に沿わせてベース部２１の中央に向かって細長く三角形状に延びた形状をなし、境界線部２３に沿って複数の第１切欠部３０ａが並んで形成されている。この複数の第１切欠部３０ａのうち、境界線部２３の長さ方向中央に位置する第１切欠部３０ａが最も大きく、境界線部２３の端部側に位置するもの程小さくなっている。一方、突片部２２には、スリット孔２８の形成されている斜辺２４に沿って並ぶ複数の円形をなす第２切欠部３０ｂと、この第２切欠部３０ｂよりも小径の円形をなし第２切欠部３０ｂを挟んでスリット孔２８とは反対側において第２切欠部３０ｂに沿って並ぶように配置された複数の第３切欠部３０ｃと、この第３切欠部３０ｃよりも小径の円形をなし第２切欠部３０ｂを挟んでスリット孔２８とは反対側において第２切欠部３０ｂに沿い且つ第３切欠部３０ｃと交互に並ぶように配置された複数の第４切欠部３０ｄとが形成されている。
【００２２】
次に、本実施形態の照明器具の組立手順について説明する。
【００２３】
組立てに際しては、まず、吊下状態で水平となる型紙２０（以下、第１型紙２０Ａという）に対し、別の型紙２０（以下、第２型紙２０Ｂという）を組み付ける。このとき、第２型紙２０Ｂのベース部２１Ｂにおける水平な境界線部２３Ｂを、第１型紙２０Ａのいずれかの境界線部２３Ａに対して同じ高さで、且つスリット状嵌合部２６Ａ，Ｂの開口端部同士が対向するように接近させる（図４を参照）。すると、第１型紙２０Ａの境界線部２３Ａのうちのスリット状嵌合部２６Ａの形成されていない半分長さ領域に対して第２型紙２０Ｂのスリット状嵌合部２６Ｂが嵌合されると同時に、第２型紙２０Ｂの境界線部２３Ｂのうちのスリット状嵌合部２６Ｂの形成されていない半分長さ領域に対して第１型紙２０Ａのスリット状嵌合部２６Ａが嵌合される（図８を参照）。
【００２４】
この状態では、２つのベース部２１Ａ，２１Ｂが斜めに隣接することで多面体１１の一部が構成されるが、このときいずれのベース部２１Ａ，２１Ｂも湾曲していない。また、双方の型紙２０Ａ，２０Ｂの底辺同士を合致させている突片部２２Ａ，２２Ｂが、相手側の型紙２０Ｂ，２０Ａのベース部２１Ｂ，２１Ａの周縁（辺）から斜め外向きに突出して角錐部１２の一部を構成する。さらに、スリット状嵌合部２６Ａ，２６Ｂに嵌合されている境界線部２３Ｂ，２３Ａに対してその両側で一直線状に位置している斜辺２４，２５同士が、互いに合致するように対応し、第１型紙２０Ａの２つの突片部２２Ａと第２型紙２０Ｂの２つの突片部２２Ｂとが、互いに斜めをなして隣接する。この隣接する２つの突片部２２Ａ，２２Ｂは、第１型紙２０Ａ及び第２型紙２０Ｂ以外の他の型紙２０のベース部２１から突出する角錐部１２の一部を構成する。
【００２５】
以上により、２つの型紙２０Ａ，２０Ｂが、そのベース部２１Ａ，２１Ｂの境界線部２３Ａ，２３Ｂ同士を重ね（合致させ）るとともに、ベース部２１Ａ，２１Ｂ同士を斜め角度で隣接させる形態で仮組みされる（図５を参照）。
【００２６】
次に、この第１型紙２０と第２型紙２０の仮組み体に対し、別の型紙２０（以下、第３型紙２０Ｃという）を組み付ける（図６を参照）。組付けに際しては、第１型紙２０Ａと第２型紙２０Ｂの組付けと同様に、第３型紙２０Ｃの水平な境界線部２３Ｃを、第１型紙２０Ａの水平な境界線部２３Ａに対して同じ高さで、且つスリット状嵌合部２６Ａ，２６Ｃの開口端部同士が対向するように図６の左方から接近させ、第１型紙２０Ａの境界線部２３Ａのうちのスリット状嵌合部２６Ａの形成されていない半分長さ領域に対して第３型紙２０Ｃのスリット状嵌合部２６Ｃを嵌合させると同時に、第３型紙２０Ｃの境界線部２３Ｃのうちのスリット状嵌合部２６Ｃの形成されていない半分長さ領域に対して第１型紙２０Ａのスリット状嵌合部２６Ａを嵌合させる。このとき、互いに隣接している第１型紙２０Ａと第２型紙２０Ｂの突片部２２Ａ，２２Ｂ同士を外側へ湾曲させて両突片部２２Ａ，２２Ｂの間に空間を空け、この空間に、第３型紙２０Ｃにおける組付け方向に向かって突出する突片部２２Ｃを割り込ませるようにして通過させる。そして、この通過させた第３型紙２０Ｃの突片部２２Ｃの底辺（境界線部２３Ｃ）に沿って形成されているスリット状嵌合部２６Ｃを、第２型紙２０Ｂの境界線部２３Ｂにおけるスリット状嵌合部２６の形成されていない半分長さ領域に嵌合させるとともに、この第２型紙２０Ｂの境界線部２３Ｂのスリット状嵌合部２６Ｂを、第３型紙２０Ｃの突片部２２Ｃの境界線部２３Ｃにおけるスリット状嵌合部２６Ｃの形成されていない半分長さ領域を嵌合させる。
【００２７】
これにより、第３型紙２０Ｃのベース部２１Ｃが第１型紙２０Ａのベース部２１Ａ及び第２型紙２０Ｂのベース部２１Ｂの双方に対して斜め姿勢で隣接し、この３つのベース部２１Ａ，２１Ｂ，２１Ｃによって多面体１１のうちの３面が構成される。このとき、いずれのベース部２１Ａ，２１Ｂ，２１Ｃも湾曲していない。また、第３型紙２０Ｃの２つの突片部２２Ｃが、第１型紙２０Ａの突片部２２Ａに対し斜辺２４，２５同士を合致させるようにして斜めに隣接するとともに、別の２つの突片部２２Ｃが、第２型紙２０Ｂの突片部２２Ｂに対し斜辺２４，２５同士を合致させるようにして斜めに隣接する。この第３型紙２０Ｃの突片部２２Ｃも、第１型紙２０Ａの突片部２２Ａ又は第２型紙２０Ｂの突片部２２Ｂと共に、角錐部１２の一部を構成する。以上により、３つの型紙２０Ａ，２０Ｂ，２０Ｃが、そのベース部２１Ａ，２１Ｂ，２１Ｃの境界線部２３Ａ，２３Ｂ，２３Ｃ同士を重ね（合致させ）るとともに、ベース部２１Ａ，２１Ｂ，２１Ｃ同士を斜め角度で隣接させる形態で仮組みされる。
【００２８】
この後も、上記と同様にして、第４〜第１２の型紙２０を順次に組み付けていく。全ての型紙２０が組み上げられると、ベース部２１によって正十二面体である多面体１１が構成される。そして、全ての型紙２０が組み上げられた後は、隣接している突片部２２同士を合体させる。合体に際しては、図７（第１型紙２０Ａの突片部２２Ａ（図４における最も手前の位置するもの）と第２型紙２０Ｂの突片部２２Ｂとの合体部分をあらわす）に示すように、一方の突片部２２の斜辺２５に形成されている結合片２９を、他方の突片部２２の斜辺２４に形成されているスリット孔２８に対して外面側から貫通させて嵌め合わせることで、斜辺２４，２５同士を互いに直線状態を保ったままで合致させ且つ離脱規制された状態で結合させる。尚、突片部２２同士は互いに斜め角度をなして組み付けられるため、結合片２９と帯部２７は、突片部２２に対して折り目を付けるようにして曲げられる。また、曲げられた結合片２９と帯部２７は、いずれも、角錐部１２の内側に隠される。
【００２９】
このように斜辺２４，２５同士を結合することで、隣接する突片部２２同士が分離しないように合体される。これにより、５つの突片部２２が１組となり、各ベース部２１を底面としてそのベース部２１から外方へ放射状に突出する角錐部１２（正五角錐）が前部で１２個構成される。尚、突片部２２の斜辺２４，２５はベース部２１の各辺（境界線部２３）に対して一直線状に連なっているので、突片部２２は湾曲しない。
【００３０】
尚、光源１５は、水平な第１型紙２０Ａに取り付けられる。第１型紙２０Ａのベース部２１Ａには、予め取付孔１４（図４及び図５では省略）が形成されており、この取付孔１４に光源１５のソケット１６が貫通して固定されている。これにより、白熱電球１７は多面体１１の内部に収容され、また、ソケット１６から延びた給電用の電線１８は、第１型紙２０Ａのベース部２１Ａから上方へ突出する角錐部１２の内部を通り、その角錐部１２の頂点から上方へ導出されている。尚、電線１８が導出される部分では、突片部２２の先端が少し拡げられている。そして、電線１８は、天井面に固定されているブラケット（図示せず）に固定される。
【００３１】
上述のように本実施形態の星形のカバー１０は、１２枚の型紙２０を組み合わせることによって構成されるようになっているので、組立前には１２枚の型紙２０を重ねることで薄く嵩張らない状態にしておくことができる。したがって、カバー１０を展示したり保管したりするためのスペースが小さくて済み、また、持ち運びにも便利である。しかも、型紙２０を組み立てる際には、切断する作業が不要なので、作業性に優れている。
【００３２】
また、多面体１１は、複数の型紙２０をスリット状嵌合部２６における嵌め合いによって組み付けられたものなので、接着による固定手段を用いなくても、強固に所定の形状に保たれ、カバー１０の分解も容易に行うことができる。しかも、各角錐部１２は、夫々、多面体１１を構成する５つのベース部２１から延出した突片部２２を１つずつ結合させた形態なので、多面体１１に対して角錐部１２が離脱したり変位したりする虞がない。さらに、１枚の型紙２０に形成されている５つの突片部２２が互いに別個の角錐部１２を構成するようにしたことで、角錐部１２相互間が型紙２０によって連結された形態となっているので、角錐部１２相互間における位置ずれや変位が規制され、ひいては、カバー１０全体としての変形や歪みが生じ難くなっている。
【００３３】
また、角錐部１２を構成する突片部２２の斜辺２４，２５同士の結合は、スリット孔２８に結合片２９を差し込んで嵌合させる形態となっているので、結合と分解を簡単に行うことができる。しかも、結合した状態では、結合片２９と斜辺２４，２５とで構成される楔状に凹んだ引っ掛かり部２９ａにスリット孔２８の端縁部が引っ掛かるようになるので、不用意に斜辺２４，２５同士が分離する虞はない。
【００３４】
また、ベース部２１で囲まれた多面体１１の内部に光源１５が収容され、ベース部２１と突片部２２の両方に切欠部３０ａ，３０ｂ，３０ｃ，３０ｄを形成したので、角錐部１２に美しい影絵模様が映し出さされるようになっている。しかも、切欠部３０ａ，３０ｂ，３０ｃ，３０ｄがベース部２１と突片部２２の両方に形成されているので、多面体１１内の光源１５が発する熱を、これらの切欠部３０ａ，３０ｂ，３０ｃ，３０ｄを介して効率よくカバー１０の外部へ放出させることができる。
【００３５】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３６】
（１）上記実施形態では光源を多面体の内部に収容したが、本発明によれば、１又は複数の角錐部の内部に光源を収容してもよい。
【００３７】
（２）上記実施形態では照明器具が天井吊り下げ式のものである場合ついて説明した、本発明は、卓上や床上に載置するタイプや壁に固定するタイプの照明器具にも適用できる。卓上又は床上に載置するタイプの場合、１つの角錐部を、ベース部の各辺からベース部と略直角に延出する方形片部同士を結合させた形態の台座部に替え、この台座部を机や床などに載置するようにしてもよい。
【００３８】
（３）上記実施形態では型紙を半透明状の乳白色のものとしたが、本発明によれば、型紙を透明のものとしてもよく、また、半透明であって乳白色以外の色の型紙を用いてもよい。
【００３９】
（４）上記実施形態ではベース部を正五角形としたが、本発明によれば、ベース部は、正六角形、正三角形など、正五角形以外の正多角形としてもよい。
【００４０】
（５）上記実施形態では正五角形のベース部のみを組み合わせたが、本発明によれば、辺の数が異なる複数種類のベース部を組合せて（隣接させて）多面体を構成してもよい。
【００４１】
（６）上記実施形態では略三角形の突片部の斜辺を直線としたが、本発明によれば、略三角形の突片部の斜辺を、内側に湾曲した曲線、外側に湾曲した曲線、これらの曲線と直線とを連続させた線としてもよい。
【００４２】
（７）上記実施形態では突片部の斜辺を突片部とベース部との境界線に対して一直線状に連続させたが、本発明によれば、突片部の斜辺を境界線に対して所定の角度だけ内側又は外側へ傾けてもよい。この場合、ベース部と突片部との境界線部を湾曲又は屈曲させればよい。
【００４３】
（８）上記実施形態では切欠部を全ての型紙に形成したが、本発明によれば、切欠部を一部の型紙のみに形成してもよい。
【００４４】
（９）上記実施形態では切欠部をベース部と突片部の両方に形成したが、本発明によれば、切欠部はベース部と突片部のうちのいずれか一方のみに形成してもよい。
【００４５】
（１０）上記実施形態において光源の発熱量が小さい場合は、ベース部や突片部に切欠部を形成しない構成としてもよい。
【００４６】
（１１）上記実施形態において、突片部の斜辺同士を接着剤等で結合してもよい。
【００４７】
（１２）上記実施形態においては光源を白熱電球としたが、本発明は、光源がハロゲン電球や蛍光ランプの場合にも適用できる。
【００４８】
（１３）上記実施形態では全ての型紙を乳白色（同一色）としたが、本発明によれば、色彩が異なる複数種類の型紙又は透光率が異なる複数種類の型紙を組み合わせてカバーを構成してもよい。
【図面の簡単な説明】
【００４９】
【図１】照明器具の斜視図
【図２】一部の角錐部を切欠した状態の照明器具の斜視図
【図３】型紙の正面図
【図４】２つの型紙の組付け前の状態をあらわす斜視図
【図５】２つの型紙を組み付けた状態をあらわす斜視図
【図６】３つの型紙を組み付けた状態をあわらす斜視図
【図７】スリット孔と結合片の嵌合部をあらす部分拡大斜視図
【図８】スリット状嵌合部における嵌合状態をあわらす部分拡大斜視図
【符号の説明】
【００５０】
１０…カバー
１１…多面体
１２…角錐部
１５…光源
２０…型紙
２１…ベース部
２２…突片部
２３…ベース部と突片部の境界線部
２４，２５…斜辺
２６…スリット状嵌合部
２８…スリット孔
２９…結合片
３０ａ，３０ｂ，３０ｃ，３０ｄ…切欠部
【図１】
2005166308.tif 000003
【図２】
2005166308.tif 000004
【図３】
2005166308.tif 000005
【図４】
2005166308.tif 000006
【図５】
2005166308.tif 000007
【図６】
2005166308.tif 000008
【図７】
2005166308.tif 000009
【図８】
2005166308.tif 000010